(57)【要約】      （修正有）【課題】電源ソケットに収納又は略収納された状態から引き抜き易い電源ソケット用給電器を提供することを課題とする。【解決手段】電源ソケットに挿入することで該電源ソケットに収納又は略収納可能に構成されると共に、電源ソケットへの挿入方向における後端に端子挿入孔２１７が形成された対向面を有する給電器本体２と、電源ソケットへの給電器本体の挿抜方向に沿って延びると共に、該挿抜方向に沿って対向面から進退可能な進退部材３と、を備えることを特徴とする。【選択図】図２
2019133889.tif 000002
【特許請求の範囲】
【請求項１】
電源ソケットに挿入することで該電源ソケットに収納又は略収納可能であると共に、前記電源ソケットへの挿入方向における後端に端子挿入孔が形成された対向面を有する給電器本体と、
前記電源ソケットへの前記給電器本体の挿抜方向に沿って延びると共に、該挿抜方向に沿って前記対向面から進退可能な進退部材と、を備える、電源ソケット用給電器。
【請求項２】
前記対向面は、前記進退部材が最も後退した位置において該進退部材の進出方向の先端部が嵌まり込む嵌合部を有し、
前記先端部は、その周縁部に、該先端部が前記嵌合部に嵌まり込んだ状態において前記端子挿入孔に臨む挿入孔側端部を含む、請求項１に記載の電源ソケット用給電器。
【請求項３】
前記対向面は、前記進退部材が最も後退した位置において該進退部材の進出方向の先端部が嵌まり込む嵌合部を有し、
前記先端部は、その周縁部に、該先端部が前記嵌合部に嵌まり込んだ状態において前記対向面の周縁側から該対向面の外側に臨む外側端部を含む、請求項１又は２に記載の電源ソケット用給電器。
【請求項４】
前記対向面は、前記進退部材が最も後退した位置において該進退部材の進出方向の先端部が嵌まり込む嵌合部を有し、
前記先端部は、該先端部が前記嵌合部に嵌まり込んだときの前記対向面における前記先端部と隣接する領域よりも前記進出方向に突出する突出部を有し、
前記突出部は、前記先端部が前記嵌合部に嵌まり込んだ状態において前記進出方向における前記対向面の最も先端側に位置する部位と同じ又は前記進退部材の後退方向側に位置する、請求項１〜３のいずれか１項に記載の電源ソケット用給電器。
【発明の詳細な説明】
【技術分野】
【０００１】
本発明は、自動車（乗用車や自動二輪車、大型トラック等）の電源ソケットに挿入して電子製品等に自動車や自動二輪車からの電力を供給する電源ソケット用給電器に関する。
【背景技術】
【０００２】
従来から、電源ソケットに挿入して電子製品等に自動車からの電力を供給することができる電源ソケット用給電器が知られている（特許文献１参照）。この電源ソケット用給電器は、図１２に示すように、使用時に自動車の電源ソケットに差し込まれる挿入部５０１と、挿入部５０１と連接し且つ挿入部５０１が電源ソケットに差し込まれた状態で該電源ソケットの開口から外側（挿入方向と反対側）に突出する突出部５０２と、を有する。
【０００３】
電源ソケット用給電器５００では、挿入部５０１が電源ソケットに差し込まれた状態で突出部５０２にＵＢＳ等の端子が差し込まれることによってスマートフォン等の電子機器等が接続され、これにより、自動車からの電力が前記電子機器等に供給される。
【０００４】
この電源ソケット用給電器５００では、電源ソケットから引き抜く際に、電源ソケットの開口から外側に大きく突出している部位（突出部５０２）を把持できるため、該部位を把持して引っ張ることで、容易に引き抜くことができる。
【先行技術文献】
【特許文献】
【０００５】
【特許文献１】実用新案登録第３１５３４０３号公報
【発明の概要】
【発明が解決しようとする課題】
【０００６】
上述の電源ソケット用給電器５００が電源ソケットに差し込まれた状態では、電源ソケットの開口から突出部５０２が大きく突出しているため、電源ソケットの設けられたパネル周りの機器を操作等する際に、突出部５０２が邪魔になる場合があった。
【０００７】
そこで、例えば電源ソケット用給電器５００において突出部５０２をなくし、電源ソケット５０５に差し込んだときに該電源ソケット５０５の開口から外側にその一部が突出しない構成（即ち、電源ソケット５０５に電源ソケット用給電器５００Ａが収納される構成：図１３参照）や、僅かしか突出しない構成（即ち、電源ソケット５０５に電源ソケット用給電器５００Ｂが略収納される構成：図１４参照）が考えられる。
【０００８】
しかし、この電源ソケット５０５に収納又は略収納される構成の電源ソケット用給電器５００Ａ、５００Ｂでは、電源ソケット５０５から引き抜く際にしっかりと把持できる部位がないため、電源ソケット５０５から引き抜き難くなる。
【０００９】
そこで、本発明は、電源ソケットに収納又は略収納された状態から引き抜き易い電源ソケット用給電器を提供することを課題とする。
【課題を解決するための手段】
【００１０】
本発明の電源ソケット用給電器は、電源ソケットに挿入することで該電源ソケットに収納又は略収納可能であると共に、前記電源ソケットへの挿入方向における後端に端子挿入孔が形成された対向面を有する給電器本体と、前記電源ソケットへの前記給電器本体の挿抜方向に沿って延びると共に、該挿抜方向に沿って前記対向面から進退可能な進退部材と、を備える。
【００１１】
かかる構成によれば、給電器本体が電源ソケットに収納又は略収納されることで電源ソケットの開口から外側に出ている部位（給電器本体の部位）が無い又はほぼ無くても、進退部材を対向面に対して進出させる（引き出す）ことで電源ソケットの外側において把持できる部位が十分に確保される。これにより、進退部材を把持（保持）して給電器本体を引っ張ることで電源ソケットから電源ソケット用給電器を容易に引き抜くことができる。
【００１２】
前記電源ソケット用給電器では、前記対向面は、前記進退部材が最も後退した位置において該進退部材の進出方向の先端部が嵌まり込む嵌合部を有し、前記先端部は、その周縁部に、該先端部が前記嵌合部に嵌まり込んだ状態において前記端子挿入孔に臨む挿入孔側端部を含んでもよい。
【００１３】
電源ソケット用給電器を電源ソケットから引き抜くために進退部材を対向面に対して引き出す（進出させる）際には、対向面側から進退部材を操作することになるが、かかる構成によれば、対向面の嵌合部に嵌まり込んでいる先端部がその周縁部に端子挿入孔に臨んでいる挿入孔側端部を含んでいるため、端子挿入孔側から先端部の周縁部（挿入孔側端部）に指を掛けやすく、これにより、先端部が嵌合部に嵌り込んでいても進退部材が引き出し（進出させ）易い。
【００１４】
また、前記電源ソケット用給電器では、前記対向面は、前記進退部材が最も後退した位置において該進退部材の進出方向の先端部が嵌まり込む嵌合部を有し、前記先端部は、その周縁部に、該先端部が前記嵌合部に嵌まり込んだ状態において前記対向面の周縁側から該対向面の外側に臨む外側端部を含んでもよい。
【００１５】
電源ソケット用給電器を電源ソケットから引き抜くために進退部材を対向面に対して引き出す際には、対向面側から進退部材を操作することになるが、かかる構成によれば、対向面の嵌合部に嵌まり込んでいる先端部がその周縁部に対向面の周縁側から該対向面の外側に臨んでいる外側端部を含んでいるため、前記対向面の外側から先端部の周縁部（外側端部）に指を掛けやすく、これにより、先端部が嵌合部に嵌り込んでいても進退部材が引き出し（進出させ）易い。
【００１６】
また、前記電源ソケット用給電器では、前記対向面は、前記進退部材が最も後退した位置において該進退部材の進出方向の先端部が嵌まり込む嵌合部を有し、前記先端部は、該先端部が前記嵌合部に嵌まり込んだときの前記対向面における前記先端部と隣接する領域よりも前記進出方向に突出する突出部を有し、前記突出部は、前記先端部が前記嵌合部に嵌まり込んだ状態において前記進出方向における前記対向面の最も先端側に位置する部位と同じ又は前記進退部材の後退方向側に位置してもよい。
【００１７】
かかる構成では、先端部の突出部を対向面における最も先端側の部位と同じ又は後退方向側に位置させることで、先端部が嵌合部に嵌まり込んだ状態における対向面からの先端部の進出方向側への出っ張りを抑えて電源ソケット用給電器の挿抜方向の寸法を抑えつつ、先端部に指を掛け易い個所（対向面における先端部と隣接する領域よりも進出方向側に突出する部位）を設けて先端部が嵌合部に嵌まり込んでいる状態からの進退部材の引き出し易さも確保している。
【発明の効果】
【００１８】
以上より、本発明によれば、電源ソケットに収納又は略収納された状態から引き抜き易い電源ソケット用給電器を提供することができる。
【図面の簡単な説明】
【００１９】
【図１】図１は、本実施形態に係る電源ソケット用給電器の斜視図である。
【図２】図２は、前記電源ソケット用給電器の斜視図である。
【図３】図３は、前記電源ソケット用給電器の対向面側から見た図である。
【図４】図４は、図３のＩＶ−ＩＶ位置における断面図である。
【図５】図５は、前記電源ソケット用給電器の分解斜視図である。
【図６】図６は、前記電源ソケット用給電器が電源ソケットに収納された状態を示す模式図である。
【図７】図７は、前記電源ソケット用給電器が電源ソケットに略収納された状態を示す模式図である。
【図８】図８は、進退部材が進出位置まで進出した状態の前記電源ソケット用給電器の斜視図である。
【図９】図９は、前記進退部材の先端部のＺ軸方向の一方側がケース本体に覆われた状態を示す図である。
【図１０】図１０は、他実施形態に係る電源ソケット用給電器のＸ軸方向の他方側の端部を示す模式図である。
【図１１】図１１は、他実施形態に係る進退部材の先端部を示す模式図である。
【図１２】図１２は、従来の電源ソケット用給電器の側面図である。
【図１３】図１３は、電源ソケット用給電器が電源ソケットに収納された状態を説明するための図である。
【図１４】図１４は、電源ソケット用給電器が電源ソケットに略収納された状態を説明するための図である。
【発明を実施するための形態】
【００２０】
以下、本発明の一実施形態について、図１〜図９を参照しつつ説明する。
【００２１】
本実施形態に係る電源ソケット用給電器（以下、単に「給電器」と称する。）は、自動車の車室のパネルや自動二輪車等に設けられた所謂シガーソケットやアクセサリーソケット等と称される電源ソケットに挿入され（差し込まれ）、該給電器に接続された電子機器等に自動車や自動二輪車からの電力を供給する。この給電器には、自動車や自動二輪車からの電気を該給電器に接続された電子機器等に供給のみを行うものや、電子機器等の充電に用いられるものがある。具体的に、この給電器は、図１〜図５に示すように、電源ソケットに収納又は略収納される給電器本体２と、給電器本体２から進退（進出及び後退）する進退部材３と、を備える。尚、本実施形態において、「給電器本体２が電源ソケット６に収納」とは、給電器本体２の電源ソケット６への挿抜方向において給電器本体２が電源ソケット６の開口から外側に突出していない状態（例えば、図６参照）をいい、「給電器本体２が電源ソケット６に略収納」とは、前記挿抜方向において給電器本体２が電源ソケット６の開口から外側に突出しているが、電源ソケット６から給電器本体２を引き抜くために把持しようとしても把持できない程度しか突出していない状態（例えば、図７参照）をいう。
【００２２】
給電器本体２は、内部空間Ｓを有するケース２１と、ケース２１内に配置される基板２２と、基板２２に取り付けられるコネクタ２３と、ケース２１から突出して電源ソケット６の底部６１（図６参照）と接触可能な第一接触子２４１を有する第一接触部２４と、ケース２１の対向する位置から突出して電源ソケット６の内周面６２（図６参照）と接触可能な一対の第二接触子２５１を有する第二接触部２５と、を備える。以下では、給電器１の中心軸Ｃ方向（電源ソケット６への挿抜方向）をＸ軸方向とし、一対の第二接触子２５１が並ぶ方向をＹ軸方向とし、Ｘ軸方向及びＹ軸方向と直交する方向をＺ軸方向とする。また、図４における右側（電源ソケット６への給電器本体２の挿入方向）をＸ軸方向における一方側、図４における左側（電源ソケット６からの給電器本体２の抜去（引き抜き）方向）をＸ軸方向における他方側、と称し、図４における上側をＺ軸方向における一方側、図４における下側をＺ軸方向における他方側、と称する。
【００２３】
ケース２１は、樹脂性である。このケース２１は、Ｘ軸方向の他方側が開口したケース本体２１１と、ケース本体２１１の開口を塞ぐことでケース本体２１１と協同してケース２１の内部空間Ｓを画定する閉塞部２１５と、を有する。また、ケース２１は、ケース２１の内部空間Ｓを仕切る仕切り板２１６も有する。本実施形態のケース２１は、Ｘ軸方向に延びる円柱状であり、Ｘ軸方向の一方側の端部が半球状である。このケース２１のＸ軸方向の各位置におけるＹ−Ｚ面（Ｙ軸とＺ軸とを含む面）方向の大きさは、電源ソケット６の内周面６２の内径より小さい。また、ケース２１のＸ軸方向の寸法は、給電器１（給電器本体２）が電源ソケット６に挿入されたときに、Ｘ軸方向における他方側の端が電源ソケット６の開口から外側に突出しない（図６参照）、又はＸ軸方向における他方側の端が電源ソケット６の開口から外側に僅かしか突出しない（図７参照）ように設定されている。尚、この「僅かしか突出しない」とは、電源ソケット６から給電器本体２を引き抜くために把持しようとしても、しっかりと把持できない程度の突出量である。
【００２４】
ケース本体２１１は、中心軸Ｃを囲む円筒状の第一部位２１２と、第一部位２１２の一方側の開口を塞ぐ半球状の第二部位２１３と、を有する。
【００２５】
第一部位２１２は、周方向の対向する位置（本実施形態の例では、Ｙ軸方向に対向する位置）に、Ｙ軸方向に貫通する一対の貫通孔２１２ａを有する。この一対の貫通孔２１２ａのそれぞれは、Ｘ軸方向に長尺な矩形状である。
【００２６】
第二部位２１３は、Ｘ軸方向の一方側に向けて膨出する半球状である。この第二部位２１３は、中心軸Ｃと交差する位置に、Ｘ軸方向に貫通する貫通孔２１３ａを有する。
【００２７】
閉塞部２１５は、Ｙ−Ｚ面方向に広がる板状であり、端子挿入孔２１７が形成された対向面２１５ＡをＸ軸方向の他方側に有する。この対向面２１５Ａは、給電器本体２においては、電源ソケット６への挿入方向における後端（Ｘ軸方向における他端）に位置しており、給電器本体２が電源ソケット６に挿入（収納又は略収納）された状態で電源ソケット６の開口から見える（運転手等と向き合う）面である。
【００２８】
具体的に、閉塞部２１５は、Ｘ軸方向に貫通することで端子（本実施形態の例ではＵＳＢ端子）が差し込み可能な端子挿入孔２１７と、進退部材３の一部が嵌合する嵌合部２１８と、有する。本実施形態の閉塞部２１５は、Ｙ−Ｚ面方向に広がる円盤状である。
【００２９】
対向面２１５Ａは、Ｘ軸方向の一方側に向けて凹んでいる。本実施形態の対向面２１５Ａでは、周縁部より中央部側が凹んでいる。具体的に、対向面２１５Ａは、Ｘ軸方向の一方側に向けて球面状に凹んでいる。即ち、対向面２１５Ａは、中心軸Ｃを含む面に沿った断面形状が円弧状となるように凹んでいる。
【００３０】
仕切り板２１６は、Ｘ−Ｙ面（Ｘ軸とＹ軸とを含む面）方向に広がり、ケース２１の内部空間ＳをＺ軸方向の一方側と他方側とに仕切っている。本実施形態の仕切り板２１６は、Ｘ軸方向の他方側の端部が折れ曲がっている。具体的に、仕切り板２１６は、Ｘ―Ｙ面方向に広がる板本体２１６１と、Ｘ軸方向におけるケース本体２１１の他方側の端縁位置からＺ軸方向の他方側に延び且つＹ−Ｚ面方向に広がる折れ曲がり部２１６２と、を有する（図４及び図５参照）。この折れ曲がり部２１６２は、Ｘ軸方向から見て嵌合部２１８の一部と重なっている。
【００３１】
ケース２１内では、仕切り板２１６のＺ軸方向の一方側に、進退部材３が配置され、Ｚ軸方向の他方側に、基板２２、コネクタ２３、及び第二接触部２５が配置されている。そして、本実施形態の仕切り板２１６は、ケース本体２１１（詳しくは、ケース本体２１１の仕切り板２１６とＺ軸方向に対向する部位）と協同して、進退部材３の進退（Ｘ軸方向の往復動）のガイド（案内）も行う。また、仕切り板２１６は、進退部材３と基板２２との間を仕切っているため、進退部材３が進退したときの進退部材３と基板２２との接触を防ぎ、これにより、進退部材３の進退に起因する基板２２の損傷やショート等を防いでいる。
【００３２】
端子挿入孔２１７は、Ｙ軸方向に長尺な矩形状であり、閉塞部２１５（対向面２１５Ａ）の中央部に設けられている（図３参照）。
【００３３】
嵌合部２１８は、進退部材３が対向面２１５Ａに対して最も後退した位置（後退位置）において該進退部材３の進出方向（Ｘ軸方向の他方側）の先端部３１が嵌まり込む（図２参照）形状を有する。本実施形態の嵌合部２１８は、端子挿入孔２１７からＺ軸方向の一方側（図３における上方側）に延びる切り欠きであり、Ｚ軸方向の一方側において外部と連通すると共にＺ軸方向の他方側において端子挿入孔２１７と連通する。本実施形態の嵌合部（切り欠き）２１８では、Ｚ軸方向の各位置におけるＹ軸方向の間隔が同じである。
【００３４】
基板２２は、コンデンサ等を有し、第一接触部２４や第二接触部２５を通じて入力される電気（自動車や自動二輪車からの電気）を変圧等して該基板に接続されたコネクタ２３を通じて外部に出力する。
【００３５】
コネクタ２３は、Ｘ軸方向から見て閉塞部２１５の端子挿入孔２１７と重なるように基板２２に取り付けられている。本実施形態のコネクタ２３は、ＵＳＢコネクタ（雌型コネクタ）であり、閉塞部２１５の端子挿入孔２１７を通じてＵＳＢ端子が接続（挿入）される。
【００３６】
第一接触部２４は、給電器１（給電器本体２）が電源ソケット６に挿入されることで該電源ソケット６の底部６１（図６参照）に接触する第一接触子２４１と、第一接触子２４１をＸ軸方向の一方側に向けて付勢する付勢部材２４２と、を有する。本実施形態の第一接触部２４は、導電性を有し、基板２２と導通している。
【００３７】
第一接触子２４１は、Ｘ軸方向の一方側の部位をケース本体２１１（第二部位２１３）の貫通孔２１３ａからＸ軸方向に突出させた状態で配置されている。この第一接触子２４１は、Ｘ軸方向に往復動可能である。
【００３８】
付勢部材２４２は、例えば、その中心軸を給電器１の中心軸Ｃと一致させた姿勢で配置されるつるまきバネである。
【００３９】
第二接触部２５は、給電器１が電源ソケット６に挿入されることで該電源ソケット６の内周面６２（図６参照）に押圧接触する一対の第二接触子２５１と、第二接触子２５１を接続する接続部２５２と、を有する。本実施形態の第二接触部２５では、一対の第二接触子２５１と接続部２５２とが一体に形成されている。この第二接触部２５は、導電性を有し、基板２２と導通している。
【００４０】
一対の第二接触子２５１のそれぞれは、帯状であり、Ｙ軸方向の外側（ケース本体２１１から離れる方向）に膨出するように湾曲する。これら一対の第二接触子２５１のそれぞれは、長手方向の両端部を除いた部位（中央側の部位）を第一部位２１２の貫通孔２１２ａからＹ軸方向に膨出（突出）させた状態で配置されている。これら一対の第二接触子２５１のそれぞれは、給電器本体２（給電器１）が電源ソケット６に挿入されることで電源ソケット６の内周面６２によってケース本体２１１側（中心軸Ｃ側）に押されて弾性変形し、この弾性変形によって生じた弾性復帰力（元の形状に戻ろうとする力）によって、電源ソケット６の内周面６２をＹ軸方向の外側に向けて押圧する。これにより、一対の第二接触子２５１と電源ソケット６の内周面６２との間に十分な摩擦力が発生し、給電器本体２（給電器１）が電源ソケット６から容易に脱落することが防止される。
【００４１】
接続部２５２は、一対の第二接触子２５１におけるＸ軸方向の他方側の端部同士を接続する。本実施形態の接続部２５２は、コネクタ２３を避けるように延びて一対の第二接触子２５１同士を接続している。
【００４２】
進退部材３は、給電器本体２（対向面２１５Ａ）から最も進出した進出位置（図８参照）と、最も後退した後退位置（図２参照）と、の間でＸ軸方向に進退（往復動）可能である。詳しくは、進退部材３は、給電器本体２の電源ソケット６への挿抜方向に沿って対向面２１５Ａから進退する。より詳しくは、進退部材３は、対向面２１５Ａに対し、給電器本体２の電源ソケット６からの抜去方向に沿って進出する（図２から図８への状態）。また、進退部材３は、対向面２１５Ａに対し、給電器本体２の電源ソケット６への挿入方向に沿って後退する（図８から図２への状態）。本実施形態の進退部材３は、Ｘ軸方向にスライドすることによって対向面２１５Ａから進退する。この進退部材３は、後退位置において閉塞部２１５の嵌合部２１８に嵌まり込む先端部３１と、先端部３１からＸ軸方向の他方側に延びる軸部３２と、軸部３２のＸ軸方向の他方側の端部と連接する抜け止め部３３と、を有する。
【００４３】
先端部３１は、Ｘ軸方向から見て嵌合部（切り欠き）２１８に対応した形状を有する。本実施形態の先端部３１は、Ｘ軸方向から見て、Ｚ軸方向に長尺な矩形状である。
【００４４】
具体的に、先端部３１のＺ軸方向の一方側の端部（先端部３１の周縁部に含まれる外側端部）３１Ａは、閉塞部２１５（対向面２１５Ａ）の周縁側から該閉塞部２１５の外側に臨んでいる（露出している）。この先端部３１のＺ軸方向の一方側の端面（外側端面）３１１は、Ｘ軸方向から見て、ケース本体２１１（円筒状の第一部位２１２）に沿った円弧状である（図３参照）。
【００４５】
また、先端部３１のＺ軸方向の他方側の端部（先端部３１の周縁部に含まれる挿入孔側端部）３１Ｂは、端子挿入孔２１７に臨んでいる（露出している）。この先端部３１のＺ軸方向の他方側の端面（端子挿入孔側端面）３１２は、Ｘ軸方向から見て、端子挿入孔２１７に沿った直線状である（図３参照）。即ち、端子挿入孔２１７は、閉塞部２１５の内周面２１７Ａ（図２及び図３参照）と、先端部３１の端子挿入孔側端面３１２と、によって囲まれることで規定されている。本実施形態の端子挿入孔側端面３１２は、Ｘ軸方向の一方側の端部に段差部３１２ａを有する（図４及び図５参照）。この段差部３１２ａは、先端部３１のＹ軸方向の全域に亘って延びている。
【００４６】
以上のように、先端部３１のＺ軸方向の両側（一方側と他方側と）は、閉塞部２１５に覆われずに解放された状態である。
【００４７】
先端部３１の先端面（Ｘ軸方向の他方側の端面）３１３は、中心軸Ｃと直交する方向（即ち、Ｙ−Ｚ面方向）に広がる。先端部３１が嵌合部２１８に嵌まり込んだ状態では、この先端面３１３は、Ｘ軸方向における対向面２１５Ａの周縁と同じ位置においてＹ−Ｚ面方向に広がる。即ち、先端部３１の先端面３１３は、Ｘ軸方向において、対向面２１５Ａの最も他方側に位置する部位と同じ位置にある。尚、本実施形態の先端面３１３には、文字が刻まれているが、文字の刻まれていない構成であってもよい。
【００４８】
また、先端部３１は、該先端部３１が嵌合部２１８に嵌まり込んだときの対向面２１５Ａにおける先端部３１と隣接する領域よりもＸ軸方向の他方側（進出方向）に突出する突出部３１５を有する（図２参照）。詳しくは、以下の通りである。
【００４９】
先端部３１が嵌合部２１８に嵌まり込んだときの対向面２１５Ａにおける先端部３１と隣接する領域（本実施形態ではＹ軸方向に隣接する領域）の少なくとも一部は、先端部３１の先端面３１３よりＸ軸方向の一方側に位置している。ここで、本実施形態の対向面２１５Ａは、周縁部から中心部に向かうにつれてＸ軸方向の一方側に位置するように球面状に凹んでいる。このため、対向面２１５Ａにおける先端部３１と隣接する領域は、対向面２１５Ａの周縁から中心（中心軸Ｃ）側に向かうにつれて先端部３１の先端面３１３からＸ軸方向の一方側に離れていく。これにより、突出部３１５において、対向面２１５Ａの周縁から中心（中心軸Ｃ）側に向かうにつれて、対向面２１５Ａにおける先端部３１と隣接する領域からの先端部３１の突出量が増大する。本実施形態の突出部３１５のＺ軸方向の他方側の端面（先端面３１３）は、先端部３１が嵌合部２１８に嵌まり込んだ状態においてＸ軸方向における対向面２１５Ａの最も他方側（進退部材３の進出方向における最も先端側）に位置する部位（本実施形態の例では周縁部）と同じ位置である。
【００５０】
また、先端部３１のＹ軸方向の幅（寸法）は、嵌合部（切り欠き）２１８のＹ軸方向の幅（間隔）よりごく僅かに大きい。このため、進退部材３が進出位置から後退位置まで後退するときに、先端部３１は、嵌合部（切り欠き）２１８に押し込まれ（圧入され）、これにより、嵌合部（切り欠き）２１８に嵌まり込む。
【００５１】
軸部３２は、Ｚ軸方向を厚さ方向とする帯板状の部位である。この軸部３２のＹ軸方向の寸法（幅）は、嵌合部（切り欠き）２１８のＹ軸方向の寸法と同じ若しくは僅かに小さい。
【００５２】
抜け止め部３３は、進退部材３が進出位置からさらにＸ軸方向の一方側への力が加わったときに、給電器本体２から進退部材３が抜け落ちるのを防ぐ部位である。本実施形態の抜け止め部３３では、Ｙ軸方向の寸法が嵌合部（切り欠き）２１８のＹ軸方向の寸法より大きいことで前記抜け落ちを防いでいる。
【００５３】
以上の給電器１によれば、給電器本体２が電源ソケット６に収納又は略収納されることで電源ソケット６の開口から外側に出ている部位（給電器本体２の部位）が無い又はほぼ無くても（図６及び図７参照）、進退部材３を進出させる（引き出す）ことで電源ソケット６の開口より外側において把持できる部位が十分に確保される。これにより、進退部材３を把持（保持）して給電器本体２を引っ張ることで電源ソケット６から給電器本体２（給電器１）を容易に引き抜くことができる。
【００５４】
本実施形態の給電器１では、先端部３１が、その周縁部に、該先端部３１が嵌合部２１８に嵌まり込んだ状態において端子挿入孔２１７に臨む端部（本実施形態の例ではＺ軸方向の他方側の端部（端子挿入孔側端部））３１Ｂを含んでいる。即ち、先端部３１のＺ軸方向の他方側の端部３１Ｂ（端子挿入孔側端面３１２）が、端子挿入孔２１７を規定する閉塞部２１５の内周面２１７Ａ（図３参照）から端子挿入孔２１７側に露出している。
【００５５】
ここで、給電器１を電源ソケット６から引き抜くために進退部材３を対向面２１５Ａに対して引き出す（進出させる）際には、対向面２１５Ａ側から進退部材３を操作することになるが、本実施形態の給電器１によれば、嵌合部２１８に嵌まり込んでいる先端部３１がその周縁部に端子挿入孔２１７に臨んでいるＺ軸方向の他方側の端部３１Ｂを含んでいるため、端子挿入孔２１７側から先端部３１の周縁部（Ｚ軸方向の他方側の端部３１Ｂ）に指を掛けやすく、これにより、先端部３１が嵌合部２１８に嵌り込んでいても進退部材３が引き出し（進出させ）易い。
【００５６】
しかも、図９に示すように、ケース本体２１１が先端部３１のＺ軸方向の一方側に隣接していると、先端部３１のＺ軸方向の他方側の端部３１Ｂに指を掛けて引き出すときに、先端部３１がケース本体２１１に押し付けられるため（図９の矢印α参照）、引き出し難いが、本実施形態の給電器１のように、先端部３１のＺ軸方向の一方側が解放されていることで（図４参照）、ケース本体２１１等への先端部３１の押し付けがなくなるため、進退部材３が引き出し易くなる。
【００５７】
また、このように、先端部３１は、その周縁部に、該先端部３１が嵌合部２１８に嵌まり込んだ状態において対向面２１５Ａの周縁側から該対向面２１５Ａの外側に臨む端部（本実施形態の例ではＺ軸方向の一方側の端部（外側端部））３１Ａを含んでいることで、対向面２１５ＡのＺ軸方向の外側から先端部３１の周縁部（Ｚ軸方向の一方側の端部３１Ａ）に指を掛け易くなる。このため、こちら側（Ｚ軸方向の外側）から先端部３１に指を掛けて引き出しても、進退部材３が引き出し（進出させ）易い。
【００５８】
また、本実施形態の給電器１では、先端部３１の突出部３１５（先端面３１３）を対向面２１５ＡにおけるＸ軸方向の最も他方側（進退部材３の進出方向における最も先端側）の部位と同じ位置に位置させることで、先端部３１が嵌合部２１８に嵌まり込んだ状態での対向面２１５Ａからの先端部３１のＸ軸方向の他方側（進出方向側）への出っ張りを抑え、これにより、給電器１の挿抜方向（Ｘ軸方向）の寸法が抑えられている。しかも、本実施形態の給電器１では、先端部３１に指を掛け易い個所（対向面２１５Ａにおける先端部３１と隣接する領域よりもＸ軸方向の他方側（進出方向側）に突出する突出部３１５）を設けることによって、先端部３１が嵌合部２１８に嵌まり込んでいる状態からの進退部材３の引き出し易さも確保している。
【００５９】
尚、本発明の給電器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６０】
上記実施形態の給電器１では、先端部３１の先端面３１３が、Ｘ軸方向において、対向面２１５Ａの最も他方側に位置する部位と同じ位置であるが、この構成に限定されない。例えば図１０に示すように、先端面３１３は、Ｘ軸方向において、対向面２１５Ａより他方側に位置していてもよい（図１０に示す例では、先端部３１全体が対向面２１５ＡよりＸ軸方向の他方側に位置している）。
【００６１】
また、先端面３１３は、Ｘ軸方向において、対向面２１５Ａの最も他方側に位置する部位より一方側に位置していてもよい。かかる構成によっても、上記実施形態の給電器１と同様に、先端部３１が嵌合部２１８に嵌まり込んだ状態における対向面２１５Ａからの先端部３１の他方側への出っ張りが防がれ、これにより、給電器１のＸ軸方向の寸法を抑えることができる。
【００６２】
上記実施形態の給電器１では、対向面２１５Ａが全体的に球面状に凹んでいるが、この構成に限定されない。対向面２１５Ａの一部（先端部３１と隣接する領域）のみが凹んでいてもよい。かかる構成によっても、先端部３１の周縁部に指を掛け易い個所（先端部３１の対向面２１５Ａから突出している箇所：突出部３１５）が形成されるため、先端部３１が嵌合部２１８に嵌まり込んだ状態でも進退部材３が引き出し易い。
【００６３】
上記実施形態の給電器１では、先端部３１の先端面３１３は、中心軸Ｃと直交する平面（Ｙ−Ｚ面方向に広がる面）であるが、この構成に限定されない。図１１に示すように、先端面３１３は、湾曲等していてもよい。また、先端面３１３に滑り止め加工（例えば、ローレット加工）等が施されていてもよい。
【００６４】
また、上記実施形態の給電器１では、先端部３１のＺ軸方向の一方側の端部３１Ａ（外側端面３１１）が解放されている、即ち、対向面２１５Ａの周縁側から外側に臨むが、この構成に限定されない。Ｚ軸方向において、先端部３１の一方側の端部３１Ａ（外側端面３１１）がケース本体２１１等に覆われていてもよい（図９参照）。
【００６５】
上記実施形態の給電器１では、先端部３１のＺ軸方向の他方側の端部３１Ｂ（端子挿入孔側端面３１２）が、端子挿入孔２１７に臨んでいるが、この構成に限定されない。先端部３１は、端子挿入孔２１７に臨んでいなくてもよい。即ち、先端部３１のＺ軸方向の他方側の端部３１Ｂ（端子挿入孔側端面３１２）が、閉塞部２１５等によって覆われていてもよい。
【００６６】
また、上記実施形態の給電器１では、進退部材３がスライドによって進退するが、この構成に限定されない。例えば、進退部材３は、雄ネジ部を有し、閉塞部２１５等に設けられたねじ穴に螺入される構成でもよい。かかる構成によっても、進退部材３を雄ネジ部の中心軸周りに回転させることで、進退部材３を対向面２１５Ａに対して進退させることができる。
【符号の説明】
【００６７】
１…電源ソケット用給電器、２…給電器本体、２１…ケース、２１１…ケース本体、２１２…第一部位、２１２ａ…貫通孔、２１３…第二部位、２１３ａ…貫通孔、２１５…閉塞部、２１５Ａ…対向面、２１６…仕切り板、２１６１…板本体、２１６２…折れ曲がり部、２１７…端子挿入孔、２１７Ａ…内周面、２１８…嵌合部（切り欠き）、２２…基板、２３…コネクタ、２４…第一接触部、２４１…第一接触子、２４２…付勢部材、２５…第二接触部、２５１…第二接触子、２５２…接続部、３…進退部材、３１…先端部、３１Ａ…Ｚ軸方向の一方側の端部（外側端部）、３１Ｂ…Ｚ軸方向の他方側の端部（端子挿入孔側端部）、３１１…外側端面、３１２…端子挿入孔側端面、３１２ａ…段差部、３１３…先端面、３１５…突出部、３２…軸部、３３…抜け止め部、６…電源ソケット、６１…底部、６２…内周面、５００、５００Ａ、５００Ｂ…電源ソケット用給電器、５０１…挿入部、５０２…突出部、５０５…電源ソケット、Ｃ…中心軸、Ｓ…内部空間、α…矢印
【図１】
2019133889.tif 000003
【図２】
2019133889.tif 000004
【図３】
2019133889.tif 000005
【図４】
2019133889.tif 000006
【図５】
2019133889.tif 000007
【図６】
2019133889.tif 000008
【図７】
2019133889.tif 000009
【図８】
2019133889.tif 000010
【図９】
2019133889.tif 000011
【図１０】
2019133889.tif 000012
【図１１】
2019133889.tif 000013
【図１２】
2019133889.tif 000014
【図１３】
2019133889.tif 000015
【図１４】
2019133889.tif 000016